(57)【要約】【課題】簡単な動作で着脱が行える同軸プラグ及び同軸コネクタを提供する。【解決手段】突起部１５が形成されたレセプタクルシェル１３を備えたレセプタクル１１と着脱自在に接続される同軸プラグ２０であって、シェル２９の外側にロックシェル４７を有し、ロックシェル４７は、筒状の胴部と、挿入口４９と、突起部１５と係合される係合部５３とを有し、胴部には、複数のスリットが形成され、間には係合部５３を有する複数の弾性片５１が形成され、ロックシェル４７の外側には外部ハウジング６５を有し、外部ハウジング６５のレセプタクル１１と接続される側には、環状の爪部６９が形成され、ロックシェル４７のいずれかの係合部５３と、突起部１５が係合されている状態において、外部ハウジング６５を移動させ、複数の弾性片５１に爪部６９を係止させ、複数の弾性片５１が弾性変形され、係合部５３と突起部１５との係合が解除される。【選択図】図３
2015018742.tif 000002
【特許請求の範囲】
【請求項１】
外周部に少なくとも２つの突起部が同一環状線上であって等間隔に形成された筒状のレセプタクルシェルと、前記レセプタクルシェルの中心部にレセプタクルコンタクトとを備えたレセプタクルと着脱自在に接続される同軸プラグであって、
前記レセプタクルコンタクトと接続されるコンタクトが装着されるコンタクト装着部を有する筒状のシェルと、前記シェルの外側に設けられるロックシェルとを有し、
前記ロックシェルは、筒状の胴部を有し、前記胴部の前記レセプタクルと接続される側には、前記レセプタクルシェルが挿入される挿入口と、前記レセプタクルシェルに形成された突起部と係合される前記胴部の内周から内側に向かって突出した状態で形成された係合部とを有し、
前記ロックシェルの前記挿入口側の前記胴部には、軸方向に沿って複数のスリットが等間隔に形成され、前記複数のスリットのそれぞれの間には前記係合部を有する複数の弾性片が形成されており、
前記ロックシェルの外側には前記ロックシェルの軸方向に移動自在に設けられた筒状の外部ハウジングを有し、
前記外部ハウジングの前記レセプタクルと接続される側の内側には、環状の爪部が形成されており、
前記ロックシェルの前記複数の弾性片のいずれかの前記係合部と、前記レセプタクルシェルの前記突起部が係合されている状態において、
前記外部ハウジングを前記レセプタクル側と反対側に移動させることで、前記ロックシェルの前記複数の弾性片に前記外部ハウジングの前記爪部を係止させ、前記複数の弾性片が前記外部ハウジングの移動に応じて前記ロックシェルの外側に向かって弾性変形されることで、前記係合部と前記突起部との係合が解除されることを特徴とする同軸プラグ。
【請求項２】
前記複数の弾性片のそれぞれの先端側は、前記挿入口に向かうにつれて広くなるようなテーパー部が形成され、
前記係合部は、前記テーパー部と繋がれて形成されており、
前記外部ハウジングの前記爪部は、前記複数の弾性片の前記テーパー部が入り込めるように斜めに形成された傾斜部を有していることを特徴とする請求項１に記載の同軸プラグ。
【請求項３】
前記ロックシェルの前記挿入口の反対側の前記胴部には、前記胴部の端部を内側に屈曲された屈曲部が形成され、前記屈曲部の中央部には、前記レセプタクルが接続される側とは反対側の前記シェルの一部が挿通される大きさの第１挿通孔が形成され、
前記シェルには、前記シェルが挿通される第２挿通口が形成され、前記ロックシェルの前記第１挿通口側に固定される内部係止部材が設けられ、
前記シェルには、前記ロックシェルの前記第１挿通口側に固定され、前記シェルが挿通される第２挿通口が形成された内部係止部材が設けられ、
前記内部係止部材は、前記ロックシェルの前記屈曲部に当接されて前記ロックシェルが支持されることを特徴とする請求項１又は２に記載の同軸プラグ。
【請求項４】
前記シェルには、軸方向と直交する方向に立設した環状の大径部が形成され、
前記シェルと前記ロックシェルの間には、前記シェルの外周に嵌り込む大きさの径で形成された内部コイルバネが配置され、
前記内部コイルバネは、一方が前記大径部に当接し、他方が前記ロックシェルの前記屈曲部に当接して配置されていることを特徴とする請求項３に記載の同軸プラグ。
【請求項５】
前記ロックシェルには、前記胴部の前記屈曲部側に一対の切込み部が対向する位置にそれぞれ形成されており、
前記外部ハウジングの前記爪部と反対側の内側には、前記ロックシェルの切込み部と対応する位置に溝部が形成されており、
前記ロックシェルの外周側と前記外部ハウジングの内周側との間には、中空円盤状のスライドワッシャーが設けられ、
前記スライドワッシャーには、前記切込み部に嵌入してスライドされる内周凸部と前記溝部に嵌入してスライドされる外周凸部とがそれぞれ形成されており、
前記スライドワッシャーと前記内部係止部材との間には、前記ロックシェルの外周側に嵌め込まれる大きさの外部コイルバネが配置されており、
前記外部ハウジングが前記レセプタクル側と反対側に移動されるとき、前記スライドワッシャーが前記外部ハウジングの移動に合わせスライドし、前記外部コイルバネが押し縮められることを特徴とする請求項３又は４に記載の同軸プラグ。
【請求項６】
前記内部係止部材は、前記シェルに固定される円筒状の内部係止リングと、所定径の中空の円盤状の板体で形成されたワッシャーとで構成されており、
前記ワッシャーは、前記ロックシェルの前記屈曲部と前記内部係止リングとの間に配置され、前記シェルを摺動可能とされていることを特徴とする請求項３〜５のいずれかに記載の同軸プラグ。
【請求項７】
前記請求項１〜６のいずれかに記載の前記同軸プラグと、前記レセプタクルとを備えたことを特徴とする同軸コネクタ。
【発明の詳細な説明】
【技術分野】
【０００１】
本発明は、レセプタクルとの位置決めを行うことなく接続が行なえる同軸プラグ及びこれを備えた同軸コネクタにおいて、このレセプタクルとの接続の解除を容易に行うことができる同軸プラグ及びこれを備えた同軸コネクタに関する。
【背景技術】
【０００２】
従来、同軸プラグ及びレセプタクルからなる同軸コネクタの接続方法としては、ＢＮＣ（Ｂａｙｏｎｅｔ  Ｎｅｉｌｌ  Ｃｏｎｃｅｌｍａｎ）コネクタが知られている。このようなＢＮＣコネクタは、一方、例えばレセプタクル側に形成された突起と他方、例えば同軸プラグ側に形成された溝とを嵌め合わせ、いずれかを回転させることで着脱を行なっていた。しかし、このような回転させて着脱を行なう方法では、機器の狭いスペースでの作業が困難となり、作業性が悪いものとなっていた。
【０００３】
このような課題を解決するものとして、例えば、下記特許文献１には、コネクタ同志の着脱を押す、引くだけというきわめて簡単なワンタッチ操作によって確実に行うことができる作業性に優れたコネクタの発明が開示されている。下記特許文献１に開示されたコネクタの発明では、リングシェル内にスライドワッシャーがその径方向で回転不能とし、かつその軸方向ではスライド可能として設けられ、スライドワッシャー内には切欠溝を有するローターシェルがその径方向で回転可能として設けられ、該ローターシェル内には絶縁物で固装の中心導体を有する内部シェルが設けられ、雌型コネクタの突起が結合方向に押し入れられると、突起と切欠溝との係合およびスライドワッシャー内径部突起と切欠溝との係合によりローターシェルが径回転せられ、両コネクタは結合接続されるとしている。
【０００４】
下記特許文献１に開示されたコネクタの発明によれば、コネクタの着脱は、結合方向に押し、離脱方向に引くだけという極めて簡単なワンタッチ操作で確実にして、かつ速やかに行うことができて、作業性に優れると共に、放送機器の裏側等、非常にスペースが狭くて手の入り難い場所や奥まった場所においても、治具等一切用いないで着脱作業を簡易にして、かつ速やかに行うことができるとしている。
【先行技術文献】
【特許文献】
【０００５】
【特許文献１】実用新案登録第３０１０３３０号公報
【発明の概要】
【発明が解決しようとする課題】
【０００６】
しかし、上記特許文献１に開示されたコネクタの発明では、コネクタ同志が方向性を持っているため、雌型コネクタの突起と、この突起が係合されるスライドワッシャーの切欠溝等とを正確に位置を合わせる必要がある。そのため、正しい位置を探すために接続に手間取るおそれがある。特に機器の狭いスペースでの作業時には顕著となる。また、コネクタ同志が方向性をもっていても、例えば、作業者が想定以上の力を込めたり、また、予期せぬ方向に回転させたりしたときに、誤って接続されてしまうおそれがあり、この様な場合、きちんとロックがされないため、接続が外れるおそれがある。さらに、コネクタ同志が係合された後、使用者等が接触し、コネクタが反対方向に回転してしまうと、接続が外れてしまうおそれもある。
【０００７】
そのため、位置決めを行わずにワンタッチで接続及び接続の解除ができるコネクタが望まれる。なお、上記特許文献１に開示されたコネクタの発明では、接続の解除もワンタッチ操作で行なえるとされている。しかし、この接続の解除は、接続に位置決めが必要なコネクタのものであるため、コネクタ自体には接続時の課題が存在する。
【０００８】
そこで、本発明は、このような従来技術の問題点及び課題を解決するためになされたもので、本発明の目的は、同軸プラグを構成する部品としてのロックシェルに複数のスリットを形成して弾性変形可能な複数の弾性片を設け、これらの弾性片にレセプタクルと係合可能な係合部を設けることで、位置決めをせずにレセプタクルと接続可能な同軸プラグにおいて、このロックシェルの外周側に弾性片を変形させることができる爪部を有する外部ハウジングを設けることで、レセプタクルとの接続の解除も簡単な動作で行なえる同軸プラグを提供することにあり、さらに、この同軸プラグを備えた同軸コネクタを提供することにある。
【課題を解決するための手段】
【０００９】
上記課題を解決するために、本発明の第１の態様の同軸プラグは、外周部に少なくとも２つの突起部が同一環状線上であって等間隔に形成された筒状のレセプタクルシェルと、前記レセプタクルシェルの中心部にレセプタクルコンタクトとを備えたレセプタクルと着脱自在に接続される同軸プラグであって、
前記レセプタクルコンタクトと接続されるコンタクトが装着されるコンタクト装着部を有する筒状のシェルと、前記シェルの外側に設けられるロックシェルとを有し、
前記ロックシェルは、筒状の胴部を有し、前記胴部の前記レセプタクルと接続される側には、前記レセプタクルシェルが挿入される挿入口と、前記レセプタクルシェルに形成された突起部と係合される前記胴部の内周から内側に向かって突出した状態で形成された係合部とを有し、
前記ロックシェルの前記挿入口側の前記胴部には、軸方向に沿って複数のスリットが等間隔に形成され、前記複数のスリットのそれぞれの間には前記係合部を有する複数の弾性片が形成されており、
前記ロックシェルの外側には前記ロックシェルの軸方向に移動自在に設けられた筒状の外部ハウジングを有し、
前記外部ハウジングの前記レセプタクルと接続される側の内側には、環状の爪部が形成されており、
前記ロックシェルの前記複数の弾性片のいずれかの前記係合部と、前記レセプタクルシェルの前記突起部が係合されている状態において、
前記外部ハウジングを前記レセプタクル側と反対側に移動させることで、前記ロックシェルの前記複数の弾性片に前記外部ハウジングの前記爪部を係止させ、前記複数の弾性片が前記外部ハウジングの移動に応じて前記ロックシェルの外側に向かって弾性変形されることで、前記係合部と前記突起部との係合が解除されることを特徴とする。
【００１０】
また、第２の態様の同軸プラグは、第１の態様の同軸プラグにおいて、前記複数の弾性片のそれぞれの先端側は、前記挿入口に向かうにつれて広くなるようなテーパー部が形成され、
前記係合部は、前記テーパー部と繋がれて形成されており、
前記外部ハウジングの前記爪部は、前記複数の弾性片の前記テーパー部が入り込めるように斜めに形成された傾斜部を有していることを特徴とする。
【００１１】
また、第３の態様の同軸プラグは、第１又は第２の態様の同軸プラグにおいて、前記ロックシェルの前記挿入口の反対側の前記胴部には、前記胴部の端部を内側に屈曲された屈曲部が形成され、前記屈曲部の中央部には、前記レセプタクルが接続される側とは反対側の前記シェルの一部が挿通される大きさの第１挿通孔が形成され、
前記シェルには、前記シェルが挿通される第２挿通口が形成され、前記ロックシェルの前記第１挿通口側に固定される内部係止部材が設けられ、
前記シェルには、前記ロックシェルの前記第１挿通口側に固定され、前記シェルが挿通される第２挿通口が形成された内部係止部材が設けられ、
前記内部係止部材は、前記ロックシェルの前記屈曲部に当接されて前記ロックシェルが支持されることを特徴とする。
【００１２】
また、第４の態様の同軸プラグは、第３の態様の同軸プラグにおいて、前記シェルには、軸方向と直交する方向に立設した環状の大径部が形成され、
前記シェルと前記ロックシェルの間には、前記シェルの外周に嵌り込む大きさの径で形成された内部コイルバネが配置され、
前記内部コイルバネは、一方が前記大径部に当接し、他方が前記ロックシェルの前記屈曲部に当接して配置されていることを特徴とする。
【００１３】
また、第５の態様の同軸プラグは、第３又は第４の態様の同軸プラグにおいて、前記ロックシェルには、前記胴部の前記屈曲部側に一対の切込み部が対向する位置にそれぞれ形成されており、
前記外部ハウジングの前記爪部と反対側の内側には、前記ロックシェルの切込み部と対応する位置に溝部が形成されており、
前記ロックシェルの外周側と前記外部ハウジングの内周側との間には、中空円盤状のスライドワッシャーが設けられ、
前記スライドワッシャーには、前記切込み部に嵌入してスライドされる内周凸部と前記溝部に嵌入してスライドされる外周凸部とがそれぞれ形成されており、
前記スライドワッシャーと前記内部係止部材との間には、前記ロックシェルの外周側に嵌め込まれる大きさの外部コイルバネが配置されており、
前記外部ハウジングが前記レセプタクル側と反対側に移動されるとき、前記スライドワッシャーが前記外部ハウジングの移動に合わせスライドし、前記外部コイルバネが押し縮められることを特徴とする。
【００１４】
また、第６の態様の同軸プラグは、第３〜第５のいずれかの態様の同軸プラグにおいて、前記内部係止部材は、前記シェルに固定される円筒状の内部係止リングと、所定径の中空の円盤状の板体で形成されたワッシャーとで構成されており、
前記ワッシャーは、前記ロックシェルの前記屈曲部と前記内部係止リングとの間に配置され、前記シェルを摺動可能とされていることを特徴とする。
【００１５】
第７の態様の同軸コネクタは、第１〜第６のいずれかの態様の前記同軸プラグと、前記レセプタクルとを備えたことを特徴とする。
【発明の効果】
【００１６】
第１の態様の同軸プラグによれば、レセプタクルとの係合の解除をロックシェルの外側に設けた外部ハウジングを移動させるだけで、ロックシェルの複数の弾性片が外側ハウジングの爪部により外側へ弾性変形され、係合部と突起部との係合の解除が行うことができるようになる。そのため、同軸プラグに取り付けられるワイヤーを引っ張るだけでは係合の解除はされないので、高い安全性を得ることができる。
【００１７】
また、第２の態様の同軸プラグによれば、外部ハウジングの爪部も傾斜部が形成され、ロックシェルの複数の弾性片にテーパー部が形成されることで、この爪部にテーパー部を誘い込むことができるようになるので、突起部と係合部との係合の解除を円滑に行うことができるようになる。
【００１８】
また、第３の態様の同軸プラグによれば、ロックシェルの係合部と反対側に形成される屈曲部が内部係止部材により支持されることで、係合を解除するときに外部ハウジングをスライドさせたとき、爪部によりロックシェルが押圧されてもロックシェルは移動することがないので、確実に係合部と突起部の係合を解除することができるようになる。
【００１９】
また、第４の態様の同軸プラグでは、ロックシェルが内部コイルバネの弾性力により内部係止部材に押し付けられることで、係合部と突起とが確実に係合されている。この係合を解除するために、外部ハウジングの爪部がロックシェルの複数の弾性片を外側に向かって弾性変形させている。そして、この解除の際に、弾性片が外側に向かって変形されるときにロックシェルがレセプタクル側に引き寄せられることになる。そこで、第４の態様の同軸プラグによれば、ロックシェルの屈曲部がシェルを摺動可能とされることで、引き寄せられるのに必要な移動距離を得ることができるようになり、ロックシェルに変形等の負荷を与えることを抑制することができ、破損や故障等の不具合を抑制することができる。
【００２０】
また、第５の態様の同軸コネクタによれば、係合の解除のため移動された外部ハウジングを、外部コイルバネの弾性力によりもとの位置に戻すことができるようになり、着脱が行ないやすくなる。
【００２１】
また、第６の態様の同軸プラグによれば、内部係止部材を簡単な構造のワッシャー及び内部係止リングで構成することができるので、製造が容易となる。
【００２２】
第７の態様の同軸コネクタによれば、第１〜第６のいずれかの態様の同軸プラグの効果を奏する同軸コネクタを得ることができる。
【図面の簡単な説明】
【００２３】
【図１】図１Ａは実施形態の同軸コネクタを構成する同軸プラグとレセプタクルの接続前の斜視図であり、図１Ｂは接続された同軸コネクタの斜視図である。
【図２】同軸プラグの分解斜視図である。
【図３】図３は図１ＡのIII−III線での断面図である。
【図４】図４は図１ＢのIV−IV線での断面図である。
【図５】図５Ａは実施形態の同軸プラグを構成するコンタクトの斜視図であり、図５Ｂは内部ハウジングの斜視図である。
【図６】図６Ａは実施形態の同軸プラグを構成するシェルの斜視図であり、図６Ｂは他の方向から見た斜視図であり、図６Ｃは側面図である。
【図７】図７Ａは実施形態の同軸プラグを構成するロックシェルの斜視図であり、図７Ｂは他の方向から見た斜視図である。
【図８】図８Ａは実施形態の同軸プラグを構成する外部ハウジングの斜視図であり、図８Ｂは他の方向から見た斜視図である。
【図９】図９Ａは実施形態の同軸プラグを構成するスライドワッシャーの斜視図であり、図９Ｂは外部係止リングの斜視図である。
【図１０】図１０Ａ〜図１０Ｃは実施形態の同軸プラグとレセプタクルの接続の工程を示す断面図である。
【図１１】図１１Ａは図１０ＡのXIA部の拡大図であり、図１１Ｂは図１０ＢのXIB部の拡大図であり、図１１Ｃは図１０ＣのXIC部の拡大図である。
【図１２】図１２Ａ〜図１２Ｃは実施形態の同軸プラグとレセプタクルの接続を解除する工程を示す断面図である。
【図１３】図１３Ａは図１２ＡのXIIIA部の拡大図であり、図１３Ｂは図１２ＢのXIIIB部の拡大図であり、図１３Ｃは図１２ＣのXIIIC部の拡大図である。
【発明を実施するための形態】
【００２４】
以下、図面を参照して本発明の実施形態を説明する。但し、以下に示す実施形態は、本発明の技術思想を具体化するための同軸プラグ及びこれを備えた同軸コネクタを例示するものであって、本発明をこれに特定することを意図するものではなく、特許請求の範囲に含まれるその他の実施形態のものにも等しく適応し得るものである。
【００２５】
［実施形態］
図１〜図９を参照して、本発明の実施形態に係る同軸コネクタを説明する。本発明の実施形態１に係る同軸コネクタ１０は、図１に示すように同軸プラグ２０とこの同軸プラグ２０と接続されるレセプタクル１１とで構成されている。なお、同軸プラグ２０とレセプタクル１１の接続を解除した状態を図１Ａに示し、接続した状態を図１Ｂに示す。そして、同軸プラグ２０とレセプタクル１１とは、押す、引くのだけの動作で着脱が可能な構造となっている。
【００２６】
まず、図１Ａ及び図３を参照してレセプタクル１１について説明する。なお、以下に説明する実施形態のレセプタクル１１は、同軸プラグ２０との接続に必要な一部分を代表して説明するものである。レセプタクル１１は、筒状のレセプタクルシェル１３と、レセプタクルシェル１３の中央に同軸プラグ２０側のコンタクト２１と接続されるレセプタクルコンタクト１２が設けられている。レセプタクルシェル１３の一方側には開口された嵌入口１４が設けられ、同軸プラグ２０とレセプタクル１１の接続の際に後述する同軸プラグ２０のシェル等が嵌入されるようになる。
【００２７】
また、筒状のレセプタクルシェル１３の外周側には、外周の同一環状線上に２つの突起部１５が形成されている。この突起部１５は、同軸プラグ２０と係合される部分となる。なお、この突起部は２つに限られず、複数設けてもよいが、係合するときのバランスをよくするために、等間隔となるように設けるようにすることが好ましい。また、レセプタクルシェル１３の外周側には、同軸プラグに嵌入される部分より大きな径で形成されたフランジ部１６が設けられている。
【００２８】
また、実施形態のレセプタクル１１には、レセプタクルシェル１３とレセプタクルコンタクト１２の間に、レセプタクルハウジング１７が設けられている。このレセプタクルハウジング１７には、レセプタクルコンタクト１２の接続される部分に孔１８が形成されており、また、同軸プラグ２０側のコンタクト２１が挿入されやすいようにテーパ１９が形成されている。
【００２９】
次に、同軸プラグ２０について説明する。同軸プラグ２０は、図２及び図３に示すように、レセプタクルコンタクト１２と接続される棒状のコンタクト２１と、このコンタクト２１が中央に装着されるコンタクト装着部２８が形成された内部ハウジング２４と、この内部ハウジング２４が取り付けられる所定長さの筒状体で形成されたシェル２９とを有している。そして、このシェル２９の外側には、ロックシェル４７が内部コイルバネ６３を挟んで設けられ、このロックシェル４７を支持する内部係止リング６１及びワッシャー５８が設けられている。
【００３０】
また、ロックシェル４７の外側には、外部ハウジング６５が設けられている。この外部ハウジング６５とロックシェル４７との間には、スライドワッシャー７３が設けられ、このスライドワッシャー７３とワッシャー５８との間には外部コイルバネ７８が設けられている。また、外部ハウジング６５には、外部係止リング７６が取り付けられている。以下、これらの各構成について説明する。
【００３１】
コンタクト２１は、図３及び図５Ａに示すように、棒状に形成されており、一方がレセプタクルコンタクト１２と接続される接続部２２となり、他方がケーブル（図示省略）が取り付けられる取付部２３となっている。また、コンタクト２１の外周面には、内部ハウジング２４のコンタクト装着部２８に装着されたときに抜け止めとなる溝や段部等が形成されている。なお、これらの形状は任意であるので、設計により自由に変更可能である。
【００３２】
次に、内部ハウジング２４は、図３及び図５Ｂに示すように、一方にレセプタクルコンタクト１２が挿入される第１開口２５及び、レセプタクルコンタクト１２が配置される第１空間２７を有し、他方に内部に装着されたコンタクト２１の取付部２３側が配置され、取り付けられたケーブルが挿通される第２開口２６を有している。なお、内部ハウジング２４の内部にはコンタクト２１が装着されるコンタクト装着部２８が形成されており、コンタクト２１が抜け止めされるように突起等が形成されている。また、内部ハウジング２４の外周側には、シェル２９の内側に取り付けられるときに、抜け止めとされる突起等が形成されている。なお、実施形態では、レセプタクル１１側には図３に示すように、レセプタクルハウジング１７が設けられているため、内部ハウジング２４の第１開口２５は、このレセプタクルハウジング１７が挿入される大きさに形成され、また、第１空間２７もレセプタクルハウジング１７が配置される大きさで形成されている。
【００３３】
次にシェル２９について説明する。シェル２９は、図３及び図６に示すような筒状体で形成され、一方に内部ハウジング２４が挿入される第３開口３０と、他方にケーブルが挿通される第４開口３１とを有する。また、シェル２９の内部には、内部ハウジング２４が取り付けられる第２空間３２と、ケーブルが挿通され配設される挿通路４６とを有する。シェル２９の外側は、第３開口３０側がレセプタクルシェル１３の内側と嵌合される嵌合部３３となり、第４開口３１側が後述する内部係止リング６１から突出される突出部４５となり、嵌合部３３と突出部４５の間が複数の突出した段部が形成された中間部３７となっている。
【００３４】
嵌合部３３は、レセプタクル１１と接続される際にレセプタクルシェル１３の内周側と嵌合される部分となっており、シェル２９の軸方向に沿って切り込まれた複数の隙間部３４が設けられている。この複数の隙間部３４を挟んだそれぞれの間には弾性的に動くことができる複数の可動片３５が設けられている。また、この複数の可動片３５の先端側の外周には、環状に突出した環状凸部３６が形成されている。
【００３５】
また、突出部４５は、長尺に形成されており、内部に挿通路４６が形成され、ケーブルが配置される部分となる。なお、この突出部４５は、シェル２９の外径では最も細い部分となっている。
【００３６】
中間部３７は、後述するシェル２９の外側に配置される各部品と対応するように、様々な外径の突出した段部が軸方向と直交する方向に立設して形成されている。すなわち、実施形態のシェル２９では、突出部４５側から、圧入部３８、摺動部４０、バネ支持部４１、及び大径部４２が形成されている。
【００３７】
突出部４５側には、突出部４５の外径よりわずかに大きい外径の圧入部３８が形成されている。この圧入部３８は、内部係止リング６１が圧入されて固定される部分となる。
【００３８】
また、突出部４５とは反対側の圧入部３８と隣接する部分には、ロックシェル４７の一部が配置され、摺動される摺動部４０が圧入部３８より大きな外径で形成されている。この摺動部４０には、ワッシャー５８も配置されるようになる。
【００３９】
また、圧入部３８と反対側の摺動部４０と隣接する部分には、内部コイルバネ６３が配置されるバネ支持部４１が摺動部４０より大きな外径で形成されている。
【００４０】
また、摺動部４０とは反対側のバネ支持部４１と隣接する部分には、最も外径の大きく立設された大径部４２が形成されている。この大径部４２が立設された嵌合部３３側の第１立設面４３には、レセプタクルシェル１３の先端部分が近接して配置されるようなる。また、バネ支持部４１側の第２立設面４４には内部コイルバネ６３の一方が当接されるようになる。
【００４１】
このとき、シェル２９の内部の第２空間３２は、嵌合部３３、大径部４２、及びバネ支持部４１の一部に亘って形成されている。なお、実施形態では、シェル２９と内部ハウジング２４は別部材として形成している。
【００４２】
次に、ロックシェル４７について説明する。ロックシェル４７は図３及び図７に示すように、シェル２９の大径部４２の外形が収容できる径で形成された筒状の胴部４８を有している。この胴部４８のレセプタクル１１と接続される側には、レセプタクルシェル１３が挿入される挿入口４９を有し、胴部４８の内部には、シェル２９及び内部ハウジング２４の一部並びに挿入されたレセプタクルシェルが配置される第３空間５４が形成されている。また、挿入口４９の反対側には、胴部４８の端部をシェル２９が配置される内側に屈曲させた屈曲部５５が形成されている。この屈曲部５５の中央部には、シェル２９が挿通される第１挿通孔５６が形成されている。また、この第１挿通孔５６は、シェル２９の摺動部４０を摺動可能に配置されるようになる。
【００４３】
また、挿入口４９側の胴部４８には、胴部４８の軸方向に沿って複数のスリット５０が形成されている。この複数のスリット５０の各々の間にはそれぞれが弾性変形可能な複数の弾性片５１が形成されている。この複数のスリット５０及び弾性片５１は、胴部４８の外周に沿って環状に形成されている。なお、複数の弾性片５１のそれぞれの先端側は、胴部４８の内径に対して挿入口４９側に向かうにつれて広くなるようなテーパー部５２が形成されている。そして、複数の弾性片５１の内側にはレセプタクルシェル１３に形成された突起部１５と係合される係合部５３が形成されている。
【００４４】
また、係合部５３は、胴部４８の内周に比べ内側へ突出した段状に形成されており、この段となっている部分にレセプタクルシェル１３の突起部１５が係合されるようになる。なお、係合部５３は、テーパー部５２から延設されたこのテーパー部５２が最も狭くなった部分に形成されている。また、実施形態のロックシェル４７では、テーパー部５２及び係合部５３は、胴部４８の挿入口４９側の部材を延設し、折り曲げることでこれらが一体に形成されている。なお、これらは、一体に形成されることに限られず、別体として形成し、組み合わせるようにしてもよい。また、ロックシェル４７の胴部４８には、前記屈曲部５５側に一対の切込み部５７がそれぞれ対向する位置に形成されている。この切込み部５７は屈曲部５５のシェル２９に向かって垂下された部分にまで形成されている。
【００４５】
次に、ワッシャー５８について説明する。ワッシャー５８は、図２及び図３に示すように所定径の円盤状に形成された板体で形成されており、中央にシェル２９が挿通される開孔５９が形成されている。なお、ワッシャー５８はシェル２９の摺動部４０に配設され、ワッシャー５８の開孔５９は、シェル２９の摺動部４０を摺動するようになされている。また、ワッシャー５８の一方側は、ロックシェル４７の屈曲部５５が当接される当接部６０となっており、他方側は、後述する内部係止リング６１と当接し、支持されるようになっている。このとき、ワッシャー５８の外径の大きさは、後述する外部ハウジング６５の内径に隣接して収容される大きさとなっている。
【００４６】
また、内部係止リング６１は、図２及び図３に示すように、中央にシェル２９の突出部４５が突出される第２挿通孔６２を有する所定径の円筒体で形成されている。この第２挿通孔６２はシェル２９の圧入部３８に圧入されて固定されるように形成されている。また、内部係止リング６１の一方側は、シェル２９の圧入部３８と摺動部４０との段差部分３９に当接されており、且つ、ワッシャー５８とも当接されるようになっている。なお、実施形態ではワッシャー５８及び内部係止リング６１は別々の部材で設けられている。
【００４７】
また、内部コイルバネ６３は、図２及び図３に示すように、シェル２９のバネ支持部４１に嵌め込まれる大きさで形成されたコイル状のバネ体である。そして、内部コイルバネ６３は、一方がシェル２９のバネ支持部４１側の大径部４２の第２立設面４４に当接し、他方がロックシェル４７の屈曲部５５の内側に当接して配置されるようになる。
【００４８】
次に、外部ハウジング６５について説明する。外部ハウジング６５は、図３及び図８に示すように、ロックシェル４７を覆う大きさの筒状体６６で形成されている。この筒状体６６の一方にレセプタクルシェル１３が挿入される第５挿入口４９と、他方にシェル２９の突出部４５及び内部係止リング６１が突出される第６開口６８が形成されている。この外部ハウジング６５はロックシェル４７の外周側を軸方向にスライド自在に設けられている。
【００４９】
また、外部ハウジング６５の第５開口６７側には、外部ハウジング６５の内側に向けて爪部６９が形成されている。この爪部６９には、ロックシェル４７に形成された複数の弾性片５１のテーパー部５２が入り込めるように傾斜した傾斜部７０が環状に形成されている。
【００５０】
また、外部ハウジング６５の第６開口６８側の内側には、外部ハウジング６５の軸方向に沿って一対の溝部７１が形成されている。このとき、外部ハウジング６５の溝部７１が、ロックシェル４７に形成された切込み部５７と対応する位置となるように配置される。
【００５１】
さらに、外部ハウジング６５の第６開口６８側の内側には、外部ハウジング６５の内周に沿って、環状溝７２が形成されている。この環状溝７２は、外部係止リング７６が係止される部分となる。
【００５２】
スライドワッシャー７３は、図３及び図９Ａに示すように、中空円盤状の板体で形成され、ロックシェル４７の外周側と外部ハウジング６５の内周側の間に嵌り込むような内径及び外径で形成されている。また、スライドワッシャー７３の外周側には、一対の外周凸部７４が対向する位置に形成されており、内周側には、一対の内周凸部７５が対抗する位置に形成されている。この外周凸部７４は、外部ハウジング６５に形成された溝部７１に嵌入し、スライドができるように形成されている。また、内周凸部７５は、ロックシェル４７に形成された切込み部５７に嵌入し、スライドができるように形成されている。
【００５３】
外部コイルバネ７８は、図２及び図３に示すように、ロックシェル４７に嵌め込まれる大きさの径で形成されたコイル状のバネ体である。そして、外部コイルバネ７８は、一方がスライドワッシャー７３に当接し、他方がワッシャー５８と当接して配置されるようになる。
【００５４】
外部係止リング７６は、図３及び図９Ｂに示すように、外部ハウジング６５の内径より小さい径であって、軸方向の長さが短い筒状体で形成されている。外部係止リング７６の外周側には、外部ハウジング６５に形成された環状溝７２に係止される環状突起７７が形成されている。なお、外部係止リング７６の環状突起７７側は、ワッシャー５８の最外周部分に当接されるようになる。この当接により、外部ハウジング６５内にシェル２９やスライドワッシャー７３等の各構成部品が位置決めされ、所定の位置に配置されるようになる。また、外部係止リング７６は内部係止リング６１の外側に設けられているため、外部係止リング７６の内径は、この内部係止リング６１より大きいものとなっている。
【００５５】
次に、図２及び図３を参照して同軸プラグ２０の組み立てについて説明する。まず、内部ハウジング２４のコンタクト装着部２８にコンタクト２１を装着させる。この装着は、内部ハウジング２４の第２開口２６側からコンタクト２１の接続部２２側を挿入し、所定位置において固定される。なお、コンタクト２１の取付部２３側には、図示を省略したケーブルが接続されている。
【００５６】
次に、内部ハウジング２４をシェル２９に取り付ける。この取り付けは、シェル２９の第３開口３０側から内部ハウジング２４の第２開口２６側を挿入して行なわれ、内部ハウジング２４がシェル２９の第２空間３２に配置され固定される。このとき、内部ハウジング２４の第１開口２５側の外周とシェル２９の第３開口３０側の複数の可動片３５の内周との間には、わずかな隙間が形成されるようになる。
【００５７】
次に、シェル２９の突出部４５側からバネ支持部４１に内部コイルバネ６３を嵌め込み、内部コイルバネ６３の一方を大径部４２の第２立設面４４に当接させる。
【００５８】
その後、シェル２９にロックシェル４７を取り付ける。この取り付けは、ロックシェル４７の挿入口４９側をシェル２９の突出部４５側から挿入して行う。このとき、ロックシェル４７の屈曲部５５に形成された第１挿通孔５６がシェル２９の摺動部４０に配設されるようになる。また、シェル２９の第３開口３０は、ロックシェル４７の挿入口４９に比べやや突出した状態で配置されるようになる。
【００５９】
そして、ロックシェル４７にスライドワッシャー７３を取り付ける。スライドワッシャー７３の取り付けは、ロックシェル４７の屈曲部５５側に形成された一対の切込み部５７にスライドワッシャー７３の内周側に形成された一対の内周凸部７５を嵌め合わせ、スライドさせて所定の位置に配置する。
【００６０】
その後、ロックシェル４７の屈曲部５５側から外部コイルバネ７８を嵌め込み、外部コイルバネ７８の一方がスライドワッシャー７３に当接される。
【００６１】
次に、シェル２９の突出部４５側からワッシャー５８を嵌め込む。ワッシャー５８は、シェル２９の摺動部４０に配置されるとき、ワッシャー５８の当接部６０がロックシェル４７の屈曲部５５、及び、外部コイルバネ７８の他方側と当接するようになる。
【００６２】
そして、シェル２９に内部係止リング６１を固定する。この固定は、シェル２９の突出部４５を内部係止リング６１の第２挿通孔６２に挿通させ、シェル２９の圧入部３８に第２挿通孔６２を圧入して行なう。このとき、内部係止リング６１は、シェル２９の圧入部３８と摺動部４０との段差部分３９に当接されると共に、ワッシャー５８を摺動部４０に支持するようになる。このようにすることで、ロックシェル４７及び内部コイルバネ６３並びにスライドワッシャー７３及び外部コイルバネ７８が内部係止リング６１で支持されたワッシャー５８により支持され、所定の位置に配置されるようになる。
【００６３】
次に、外部ハウジング６５を取り付ける。この取り付けは、外部ハウジング６５の第６開口６８側から、これまでの組み立てた組立体のシェルの第３開口３０側（ロックシェル４７の挿入口４９側）を挿入して行なう。このとき、外部ハウジング６５の内側に軸方向に沿って形成された一対の溝部７１にスライドワッシャー７３の外側に形成された一対の外周凸部７４が嵌入するように位置合わせを行い、これらをスライドさせて挿入が行なわれる。
【００６４】
その後、外部ハウジング６５の第６開口６８側に外部係止リング７６を取り付ける。この取り付けは、外部ハウジング６５の第６開口６８側に環状に環状溝７２に、外部係止リング７６に形成された環状突起７７を係止することで行なわれる。このとき、外部係止リング７６の内側の先端部分がワッシャー５８と当接されることで、外部ハウジング６５の位置決めがされ、所定の位置に配置されるようになる。
【００６５】
次に、図３、図４、図１０及び図１１を参照して実施形態にかかる同軸コネクタ１０の同軸プラグ２０とレセプタクル１１との接続の仕方について説明する。同軸プラグ２０とレセプタクル１１の接続は、まず、図３に示す状態から図１０Ａに示すように、同軸プラグ２０の外部ハウジング６５の第５開口６７にレセプタクル１１のレセプタクルシェル１３の嵌入口１４側を挿入させる。
【００６６】
レセプタクルシェル１３の挿入が行なわれると、図１０Ａ及び図１１Ａに示すように内部ハウジング２４の第１開口２５にレセプタクル１１側のレセプタクルコンタクト１２及びレセプタクルハウジング１７が挿入される。そして、同軸プラグ２０のコンタクト２１がレセプタクルハウジング１７の孔１８から挿入されてレセプタクルコンタクト１２と接続がされはじめる。また、レセプタクルハウジング１７は内部ハウジング２４の第１空間２７に挿入されるようになる。同時に、レセプタクルシェル１３の内周側とシェル２９の嵌合部３３が嵌合し始める。この嵌合は、レセプタクルシェル１３の内周側にシェル２９の嵌合部３３に形成された複数の可動片３５の外周側の環状凸部３６が押圧され、弾性変形することで行なわれる。また、レセプタクルシェル１３の外周に形成された突起部１５がロックシェル４７の挿入口４９側に形成された複数の弾性片５１に当接される。このとき、突起部１５が当接されるのは、複数の弾性片５１の胴部４８の内周に比べ内側に突出した状態で環状に形成された係合部５３となる、なお、挿入口４９側の係合部５３には、テーパー部５２が形成されているのでこのテーパー部５２の外側に広がるように傾斜した部分と当接される。
【００６７】
さらに、レセプタクル１１の挿入を進めると、図１０Ｂ及び図１１Ｂに示すように、レセプタクルシェル１３の突起部１５が押し進められて、ロックシェル４７の複数の弾性片５１のうち、突起部１５が当接している弾性片５１を軸方向から外側へ向かって押圧するようになる。そして、図１０Ｃ及び図１１Ｃに示すように、レセプタクルシェル１３の突起部１５が、ロックシェル４７の弾性片５１を広げることで突起部１５が通過できるようになる。なお、このとき、ロックシェル４７の弾性片５１にはテーパー部５２が設けられているので、レセプタクル１１を挿入させるだけで突起部１５により弾性片５１を円滑に広げることができるようになる。
【００６８】
その後、さらにレセプタクル１１の挿入を進め、レセプタクルシェル１３の突起部１５がロックシェル４７の弾性片５１の係合部５３を越えると、ロックシェル４７の胴部４８の内周の部分に突起部１５が収容される。そして、弾性片５１は弾性力により押し広げられる前の位置に戻ることで、突起部１５が係合部５３に係合され、図４に示すように、同軸コネクタ１０の同軸プラグ２０とレセプタクル１１との接続が完了する。
【００６９】
なお、このとき、ロックシェル４７の複数の弾性片５１は環状に形成されているため、レセプタクルシェル１３の突起部１５はどの方向から挿入されても、対応する弾性片５１を押し広げることで、係合部５３との係合を行うことができる。そのため、位置決めを行う必要がなくなり、同軸コネクタとレセプタクルとの接続を円滑に行うことができるようになる。
【００７０】
また、突起部１５と係合部５３が係合されたとき、内部コイルバネ６３がシェル２９の大径部４２の第２立設面４４とロックシェル４７の屈曲部５５を押圧している。そのため、内部コイルバネ６３がロックシェル４７の屈曲部５５を内部係止リング６１により支持されたワッシャー５８に押し付けることで、ロックシェル４７の係合部５３及び係合部５３に係合された突起部１５もワッシャー５８側に引っ張られるため、同軸プラグとレセプタクルとの係合をより強固にすることができる。
【００７１】
次に、図３、図４、図１２及び図１３を参照して同軸コネクタ１０の同軸プラグ２０とレセプタクル１１との接続の解除について説明する。この接続の解除は、上記のように、同軸プラグ２０とレセプタクル１１とが接続された状態、すなわち、図４に示す状態から行なわれる。
【００７２】
同軸コネクタの接続の解除は、まず、図１２Ａに示すように、外部ハウジング６５を把持し、レセプタクル１１とは反対側にスライドさせる。そして、外部ハウジング６５がスライドされることにより、外部ハウジング６５の第５開口６７側に形成された爪部６９がロックシェル４７の複数の弾性片５１を軸方向から外側に向かって変形されるようになる（図１３Ａ参照）。このとき、ロックシェル４７の複数の弾性片５１にはテーパー部５２が形成され、また、外部ハウジング６５の爪部６９にはこのテーパー部５２の傾斜と対応する傾斜部７０が形成されている。そのため、この爪部６９にテーパー部５２を円滑に誘い込むことができるようになる。
【００７３】
引続き、外部ハウジング６５をスライドさせると、図１２Ｂ及び図１３Ｂに示すように、外部ハウジング６５の爪部６９がロックシェル４７の複数の弾性片５１をさらに変形させ、係合部５３が突起部１５との係合が外れるまで外側に向かって変形させるようになる。このとき、ロックシェル４７の弾性片５１が外側に向かって変形されると、弾性片５１の外側へ広がることに応じてロックシェル４７自体がレセプタクル１１側に引き寄せられるようになる。そこで、ロックシェル４７の屈曲部５５がシェル２９を摺動可能とされることで、ロックシェル４７が引き寄せられるのに必要な移動距離を得ることができるようになり、ロックシェル４７に変形等の負荷を与えることを抑制することができ、破損や故障等の不具合を抑制することができる。
【００７４】
なお、ロックシェル４７が引き寄せられるのは、係合部５３が突起部１５との係合が外れるまでであり、係合が外れた後は、図１２Ｃ及び図１３Ｃに示すように、ロックシェル４７は内部コイルバネ６３の弾性力により、ワッシャー５８側に押圧され、引き寄せられた距離の分だけ戻ることになる。このようにすることで、係合部５３が突起部１５から外れたとき、係合部５３がロックシェル４７と共にワッシャー５８側へ移動することで、再び係合されることが抑制され、確実に係合部５３と突起部１５との係合を外すことができるようになる。
【００７５】
そして、係合部５３と突起部１５との係合が外れた状態で、同軸プラグ２０及びレセプタクル１１を引き離すことで、図３に示すように、同軸プラグ２０とレセプタクル１１の接続を解除することができるようになる。
【００７６】
また、外部ハウジング６５は、スライドされている時に、スライドワッシャー７３も一緒にスライドされており、このスライドワッシャー７３がスライドすることにより外部コイルバネ７８が圧縮されるように変形されている。このスライドワッシャー７３のスライドは、スライドワッシャー７３に形成された外周凸部７４及び内周凸部７５が嵌入された外部ハウジング６５の溝部７１及びロックシェル４７の切込み部５７に沿って行なわれる。そして、外部ハウジング６５のスライドを停止し、把持していた手を離すと、外部コイルバネ７８の弾性力により、外部ハウジング６５は元の位置に戻るようになる。
【符号の説明】
【００７７】
１０：同軸コネクタ  １１：レセプタクル  １２：レセプタクルコンタクト  １３：レセプタクルシェル  １４：嵌入口  １５：突起部  １６：フランジ部  １７：レセプタクルハウジング  １８：孔  １９：テーパ  ２０：同軸プラグ  ２１：コンタクト  ２２：接続部  ２３：取付部  ２４：内部ハウジング  ２５：第１開口  ２６：第２開口  ２７：第１空間  ２８：コンタクト装着部  ２９：シェル  ３０：第３開口  ３１：第４開口  ３２：第２空間  ３３：嵌合部  ３４：隙間部  ３５：可動片  ３６：環状凸部  ３７：中間部  ３８：圧入部  ３９：段差部分  ４０：摺動部  ４１：バネ支持部  ４２：大径部  ４３：第１立設面  ４４：第２立設面  ４５：突出部  ４６：挿通路  ４７：ロックシェル  ４８：胴部  ４９：挿入口  ５０：スリット  ５１：弾性片  ５２：テーパー部  ５３：係合部  ５４：第３空間  ５５：屈曲部  ５６：挿通孔  ５７：切込み部  ５８：ワッシャー  ５９：開孔  ６０：当接部  ６１：内部係止リング  ６２：挿通孔  ６３：内部コイルバネ  ６５：外部ハウジング  ６６：筒状体  ６７：第５開口  ６８：第６開口  ６９：爪部  ７０：傾斜部  ７１：溝部  ７２：環状溝  ７３：スライドワッシャー  ７４：外周凸部  ７５：内周凸部  ７６：外部係止リング  ７７：環状突起  ７８：外部コイルバネ  
【図１】
2015018742.tif 000003
【図２】
2015018742.tif 000004
【図３】
2015018742.tif 000005
【図４】
2015018742.tif 000006
【図５】
2015018742.tif 000007
【図６】
2015018742.tif 000008
【図７】
2015018742.tif 000009
【図８】
2015018742.tif 000010
【図９】
2015018742.tif 000011
【図１０】
2015018742.tif 000012
【図１１】
2015018742.tif 000013
【図１２】
2015018742.tif 000014
【図１３】
2015018742.tif 000015